(57)【要約】【課題】所定プログラムの記録開始タイミングと再生開始タイミングの差分時間から生じる記録終了タイミングと再生終了タイミングの差分時間を小さくすることが可能な情報記録再生装置を提供すること。【解決手段】情報記録媒体を対象として情報の記録及び再生を行う記録再生手段（７）と、記録される情報及び再生された情報を一時的に格納する格納手段（５、１１）と、所定時間にわたり外部から連続して提供される所定情報を前記情報記録媒体に対して所定時間にわたり連続記録させつつ、この情報記録媒体に対して連続記録されるこの所定情報を前記所定時間より短時間で連続再生させる記録再生制御手段（１５、１７）とを備えている。【選択図】          図１
2004303422.tif 000002
【特許請求の範囲】
【請求項１】
情報記録媒体に対する情報の記録、及び情報記録媒体に記録された情報の再生を行う記録再生手段と、
前記記録再生手段により情報記録媒体に対して記録される情報、及び情報記録媒体から再生される情報を一時的に格納する格納手段と、
前記記録再生手段による情報の記録及び情報の再生のタイミングを制御するとともに、この記録再生手段により情報記録媒体に対して記録される情報、及び情報記録媒体から再生される情報を前記格納手段に一時的に格納することにより、外部から連続して提供される所定情報を前記情報記録媒体に対して記録させつつ、この所定情報を再生させる記録再生制御手段と、
を備えたことを特徴とする情報記録再生装置。
【発明の詳細な説明】
【技術分野】
【０００１】
この発明は、ディスク状の情報記録媒体に対して映像データ及び音声データなどの情報の記録、及びこの情報記録媒体に記録された情報の再生を行なう情報記録再生装置に関する。特に、情報記録媒体に対して情報を連続記録しつつ、同時に、この連続記録される情報を連続再生する情報記録再生装置に関する。
【背景技術】
【０００２】
近年、情報記録媒体に対して映像データ及び音声データなどの情報を連続記録しつつ、同時に、この連続記録される情報を連続再生する情報記録再生装置の研究開発が盛んに行なわれている。
【０００３】
このような情報記録再生装置により、所定時間にわたり提供されるプログラムを所定時間かけて記録している途中で、この記録途中のプログラムの先頭から再生を開始した場合、記録開始のタイミングと再生開始のタイミングとの差分時間が、記録終了のタイミングと再生終了のタイミングの差分時間になる。つまり、プログラムの記録が終了して、一定時間が経過した後、プログラムの再生が終了することになる。
【０００４】
例えば、図２に示すように、午後７時から２時間にわたり提供される所定のプログラムを午後７時から記録し始め、１時間後、つまり午後８時からこの所定のプログラムの先頭から再生を開始し始めた場合、この所定のプログラムの記録終了時刻は午後９時、再生終了時刻は午後１０時となる。仮に、リアルタイムで見たい別のプログラムが午後９時から提供されている場合、上記した所定のプログラムの再生を中断するか、若しくは、午後９時から提供される別のプログラムを別途記録するか等の処置が必要になる。
【発明の開示】
【発明が解決しようとする課題】
【０００５】
従来の情報記録再生装置では、上記したように、記録開始タイミングと再生開始タイミングの差分時間が、そのまま、記録終了タイミングと再生終了タイミングの差分時間となっていた。例えば、第１のプログラムに続いて第２のプログラムが提供されている場合、第１のプログラムの記録開始タイミングと再生開始タイミングの差分時間の影響から、第２のプログラムをリアルタイムに見ることができないという問題があった。
【０００６】
この発明の目的は、上記したような事情に鑑み成されたものであって、所定のプログラムの記録開始タイミングと再生開始タイミングの差分時間から生じる記録終了タイミングと再生終了タイミングの差分時間を小さくすることが可能な情報記録再生装置を提供することにある。
【課題を解決するための手段】
【０００７】
この発明の情報記録再生装置は、情報記録媒体に対する情報の記録、及び情報記録媒体に記録された情報の再生を行う記録再生手段と、前記記録再生手段により情報記録媒体に対して記録される情報、及び情報記録媒体から再生される情報を一時的に格納する格納手段と、前記記録再生手段による情報の記録及び情報の再生のタイミングを制御するとともに、この記録再生手段により情報記録媒体に対して記録される情報、及び情報記録媒体から再生される情報を前記格納手段に一時的に格納することにより、外部から連続して提供される所定情報を前記情報記録媒体に対して記録させつつ、この所定情報を再生させる記録再生制御手段とを備えている。
【発明の効果】
【０００８】
本発明によれば、所定のプログラムの記録開始タイミングと再生開始タイミングの差分時間から生じる記録終了タイミングと再生終了タイミングの差分時間を小さくすることが可能な情報記録再生装置を提供できる。
【発明を実施するための最良の形態】
【０００９】
以下、この発明の実施の形態について図面を参照して説明する。
【００１０】
図１は、この発明に係るタイムシフト機能を有する情報記録再生装置の概略構成を示す図である。
【００１１】
図１に示す情報記録再生装置には、映像用Ａ／Ｄ変換器１、音声Ａ／Ｄ変換器２、ＭＰＥＧ２エンコーダ３、ＤＡＴＡエンコーダ４、記録バッファ５、変調回路６、光ヘッド７、復調回路９、ＤＡＴＡデコーダ１０、再生バッファ１１、ＭＰＥＧ２デコーダ１２、音声用Ｄ／Ａ変換器１３、映像用Ｄ／Ａ変換器１４、バッファコントローラ１５、カット可能データ検出部１６、システムコントローラ１７、及びユーザーＩ／Ｆ１８などが設けられている。
【００１２】
また、図１に示す情報記録媒体としての光ディスク８は、光磁気ディスク、磁気ディスクでもよい。但し、この実施形態では、光ディスク８としてＤＶＤ（Digital Video Disk）−ＲＡＭ（random access memory）を適用するケースについて説明する。
【００１３】
映像用Ａ／Ｄ変換器１は、記録データに含まれる映像情報をアナログ信号からディジタル信号に変換する。音声用Ａ／Ｄ変換器２は、記録データに含まれる音声情報をアナログ信号からディジタル信号に変換する。ＭＰＥＧ２エンコーダ３は、映像用Ａ／Ｄ変換器１及び音声用Ａ／Ｄ変換器２を介して提供されるディジタル信号を圧縮する。また、このＭＰＥＧ２エンコーダ３は、記録データから動き量（変化情報）を検出する。このＭＰＥＧ２エンコーダ３で検出された動き量に関する情報は、ＤＡＴＡエンコーダ４に送られる。カット可能データ検出部１６は、記録データに含まれるカット可能な情報（コマーシャルなどの情報）を検出する。このカット可能データ検出部１６で検出されたカット可能な情報の検出結果は、ＤＡＴＡエンコーダ４に送られる。また、ＭＰＥＧ２エンコーダ３で圧縮されたディジタル信号は、ＤＡＴＡエンコーダ４に送られる。
【００１４】
ＤＡＴＡエンコーダ４は、カット可能データ検出部１６から送られる検出結果に基づき、カット可能であることを示す識別情報をヘッダ領域に記録されるヘッダ情報の一部として提供する。また、ＤＡＴＡエンコーダ４は、ＭＰＥＧ２エンコーダ３から送られる検出結果に基づき、Ｎ倍速高速再生が可能であることを示す識別情報をヘッダ領域に記録されるヘッダ情報の一部として提供する。さらに、ＤＡＴＡエンコーダ４は、ＭＰＥＧ２エンコーダ３から提供されるディジタルデータに対してエラー訂正符号を付け加えスクランブル処理を行なう。結果的に、ＤＡＴＡエンコーダ４は、ＤＶＤ−ＲＡＭ記録再生機のフォーマットに準じた記録データを生成する。
【００１５】
ＤＡＴＡエンコーダ４で生成された記録データは、記録バッファ５に一時的に蓄積され、信号変調回路６で光ディスクの記録に適した変調が施され、光ヘッド７を介して光ディスク８に記録される。記録バッファ５は、システムコントローラ１７によって制御されるバッファ制御回路１５により制御される。
【００１６】
光ディスク８に記録されたデータは光ヘッド７により読み出され、光ヘッド７から読み出されたデータ（圧縮再生データ）は、復調回路９を介してディジタル信号に復調され、ＤＡＴＡデコーダ１０に入力される。ＤＡＴＡデコーダ１０は、入力されたデータ（圧縮再生データ）に対して、デ・スクランブル処理、エラー訂正処理、ヘッダ領域に記録されたヘッダ情報から識別情報の抽出等の処理を行う。その後、データ（圧縮再生データ）は、再生バッファ１１に一時的に蓄積される。この再生バッファ１１も、バッファ制御回路１５により制御される。再生バッファ１１から出力されるデータは、ＭＰＥＧ２デコーダ１２に送られ伸張される。映像用Ｄ／Ａ変換器１４は、ＭＰＥＧ２デコーダ１２で伸張された再生データに含まれる映像情報をディジタル信号からアナログ信号に変換する。また、音声用Ｄ／Ａ変換器１３は、ＭＰＥＧ２デコーダ１２で伸張された再生データに含まれる音声情報をディジタル信号からアナログ信号に変換する。
【００１７】
また、ＤＡＴＡデコーダ１０で抽出されたヘッダ情報に含まれる識別情報は、システムコントローラ１７に送られる。システムコントローラ１７は、この識別情報を基にＤＡＴＡデコーダ１０と、ＭＰＥＧ２デコーダ１２を制御する。また、システムコントローラ１７は、記録開始時刻と再生開始時刻の差分算出を行い、差分時間に応じた出画データの間引きと音声データ再生のためのシステムクロックの選択を制御する。出画データの間引きを制御する部分は、ＭＰＥＧ２デコーダ１２へ、音声データ再生のためのシステムクロック選択を制御する部分は、音声用Ａ／Ｄ変換器１３に接続される。システムコントローラ１７から出力される制御信号は、ユーザーＩ／Ｆ１８により制御される。
【００１８】
続いて、図３〜図６を参照して、上記説明した情報記録再生装置による情報記録動作及び情報再生動作について説明する。因みに、図６は、情報記録再生装置による情報記録動作及び情報再生動作の概要を示すフローチャートである。
【００１９】
上記の構成に置いて、記録動作が開始されると（ＳＴ２、ＹＥＳ）、記録データはカット可能部検出部１６にも入力され、カット可能なデータが検出される（ＳＴ４）。たとえば、映画番組を記録する場合、コマーシャル部分を検出するＩＣ等がすでに開発されており、このＩＣによりコマーシャル部分がカット可能な情報として検出される。カット可能部検出部１６で検出された情報は、データに同期させてＤＡＴＡエンコーダ４に送られる。また、ＭＰＥＧ２エンコーダ３では、記録データの動き量（変化情報）を検出することが可能であり（ＳＴ８）、検出された動き量が少ない時のデータ（Ｎ倍速高速再生可能なデータ：規定レベル以下の変化情報を含む動画情報）に同期して検出した情報をＤＡＴＡエンコーダ４に送る。さらに、ＭＰＥＧ２エンコーダ３では、記録データの中から静止画情報（Ｎ倍速高速再生可能なデータ）を検出することが可能であり（ＳＴ８）、検出されたデータに同期して検出した情報をＤＡＴＡエンコーダ４に送る。ＤＡＴＡエンコーダ４では、前述の検出情報をデータのヘッダ部に添付して、ＤＶＤ−ＲＡＭ記録再生機のフォーマットに準じたデータを生成する。具体的に言うと、カット可能検出部１６により検出されたカット可能な情報の格納先となる格納領域（情報記録媒体上のセクタ領域）のヘッダ部には、カット可能であることを示す識別情報が記録される（ＳＴ６）。また、ＭＰＥＧ２エンコーダ３により検出された静止画情報及び規定レベル以下の変化情報を含む動画情報の格納先となる格納領域（情報記録媒体上のセクタ領域）のヘッダ部には、Ｎ倍速高速再生を示す識別情報が記録される（ＳＴ１０）。その後データは、記録バッファ５、変調回路６、光ヘッド７を介して、光ディスク８に記録される。
【００２０】
連続記録中に（ＳＴ１２、ＮＯ）、連続再生動作を開始すると（ＳＴ１６、ＹＥＳ）、光ディスクへのデータ録再は、時分割に交互に行われる。また、このとき、記録開始時刻と再生開始時刻の差分時間が算出される（ＳＴ１８）。さらに、算出された差分時間と全記録時間に基づき、カット再生、Ｎ倍速高速再生、及びフレーム間引き再生の中から再生方法が決定される（ＳＴ２０）。つまり、記録終了のタイミングと再生終了のタイミングとを近づけるために、適した再生方法が決定される。勿論、上記した三つの再生方法から少なくとも二つの再生方法を組み合わせて再生時間を短くするようにしてもよい。
【００２１】
例えば、全２時間のプログラムの記録を開始してから、１時間後に、このプログラムの再生を開始した場合には、再生開始から記録終了までには１時間しかなく、この１時間で全２時間のプログラムを再生するには、極めて高速な再生が必要とされる。このようなケースでは、カット再生、Ｎ倍速高速再生、及びフレーム間引き再生の全ての再生方法が採択される。また、全２時間のプログラムの記録を開始してから、１０分後に、このプログラムの再生を開始した場合には、再生開始から記録終了までには１時間５０分が残されており、この１時間５０分で全２時間のプログラムを再生するには、多少の高速再生で十分である。このようなケースでは、約１０分を短縮するのに適した再生方法が、カット再生、Ｎ倍速高速再生、及びフレーム間引き再生の中から採択される。
【００２２】
光ディスク８から読み出されたデータは、光ヘッド７、復調回路９を介して、ＤＡＴＡデコーダ１０に入力される。ＤＡＴＡデコーダ１０では、データの復調とヘッダ部に記録されたヘッダ情報を抽出する。ヘッダ情報は、システムコントローラ１７に送られる。
【００２３】
再生方法としてカット再生が採択された場合（ＳＴ２２、ＹＥＳ）、ヘッダ情報（カット可能なことを示す識別情報）に基づき、カット可能なことが抽出される間、データデコーダ１０を制御し、後続の再生バッファ１１にデータ転送を中止する。再生バッファ１１に蓄えられた本編のデータは、順次、ＭＰＥＧ２デコーダ１２に転送され、映像用Ｄ／Ａ変換器１４、音声用Ｄ／Ａ変換器１３を介して、再生データとして後続の映像機器に出力される。このようにして、ヘッダ情報に含まれる再生省略を示す識別情報に基づくカット再生が実行される（ＳＴ２４）。図３にカット可能な部分を飛ばして再生する場合のタイムシフト動作例を示す。
【００２４】
再生方法としてＮ倍速高速再生が採択された場合（ＳＴ２６、ＹＥＳ）、ヘッダ情報（高速再生を示す識別情報）に基づき、静止画及び規定レベル以下の変化情報を含む動画情報のうちの少なくとも一方が抽出されている間、ＭＰＥＧ２デコーダ１２を制御しＩピクチャのみ再生等のＮ倍速再生を行い、映像用Ｄ／Ａ変換器１４、音声用Ｄ／Ａ変換器１３を介して、再生データとして後続の映像機器に出力される。このようにして、ヘッダ情報に含まれる高速再生を示す識別情報に基づくＮ倍速高速再生が実行される（ＳＴ２６）。図４に静止画部分をＮ倍速で再生する場合のタイムシフト動作例を示す。
【００２５】
再生方法としてフレーム間引き再生が採択された場合（ＳＴ３０、ＹＥＳ）、システムコントロール１７で算出を行った、記録開始時刻（記録開始タイミング）と再生開始時刻（再生開始タイミング）の差分時間と、全記録時間に応じた出画データの間引きは、ＭＰＥＧ２デコーダを制御して行なわれる（ＳＴ３２）。
【００２６】
間引くフレーム画数は、次式により算出する。  
記録時間÷（記録時間＋差分時間）＝間引き率
１秒間のフレーム数×間引き率＝間引き後の１秒間のフレーム数  
１秒間のフレーム数−間引き後の１秒間のフレーム数＝間引くフレーム数  
例えば、  
差分時間が２０分、全記録時間が１２０分の時  
上記の式から  
間引き率＝０．８５７１４２８５７１４２９  
間引き後の１秒間のフレーム数＝２５．７１４２８５７１４２９  
間引くフレーム数＝４．２８５７１４２８５７１４  
上記より、１秒間に約４フレーム分のデータの間引きを行って、映像用Ｄ／Ａ変換器１４を介して再生データとして出力すると、記録終了とほぼ同時期に再生を終了することが出来る。
【００２７】
同様に、音声データ再生のためのシステムクロックの選択は、下記の式で行う（ＳＴ３２）。
【００２８】
（記録時間＋差分時間）÷記録時間＝システムクロックの倍率  
従って、通常再生音声で３３ＭＨｚのシステムクロックを使用している場合  
システムクロックの倍率＝１．１６６６６６６６６６６７  
３３ＭＨｚ×１．１６６６６６６６６６６７＝３８．５ＭＨｚ  
音声用Ｄ／Ａ変換器１３のシステムクロックを３８．５ＭＨｚにすることにより、音声再生も画像再生同様に記録終了とほぼ同時期に再生を終了することが出来る。図５にフレーム間引き再生時のフレーム間引きの様子及び音声再生クロックの変更を示す。
【００２９】
ユーザーが、記録したプログラムに手を加えず再生することを希望する場合、ユーザーＩ／Ｆ１８を操作することにより、システムコントロール１７の制御を行い、タイムシフト間隔を短くするための、ＤＡＴＡデコーダ１０、ＭＰＥＧ２デコーダ１２、音声用Ａ／Ｄ変換器１３に対する制御を禁止する。
【００３０】
以上説明したように、この発明によれば、記録済みのデータの中からカット可能な部分の再生時間を省略する事が可能になる。また、通常の再生速度よりも高い再生速度を実現することで再生時間を短縮することが可能になる。また、ストーリ展開上、Ｎ倍速（Ｎ＝１以上）で再生しても問題がないと思われる静止画あるいは、動きの少ない画像部分を省略する事で、記録終了時刻に対する再生終了のタイムシフト間隔を短くすることが可能になる。また、ユーザーの判断により記録したプログラムに手を加えず再生することも可能になる。
【００３１】
上記説明した本発明の一例の情報記録再生装置及び情報記録再生方法を以下にまとめる。
【００３２】
（１）情報記録再生装置は、情報記録媒体に対する情報の記録、及び情報記録媒体に記録された情報の再生を行う記録再生手段と、前記記録再生手段により情報記録媒体に対して記録される情報、及び情報記録媒体から再生される情報を一時的に格納する格納手段と、前記記録再生手段による情報の記録及び情報の再生のタイミングを制御するとともに、この記録再生手段により情報記録媒体に対して記録される情報、及び情報記録媒体から再生される情報を前記格納手段に一時的に格納することにより、所定時間にわたり外部から連続して提供される所定情報を前記情報記録媒体に対して所定時間にわたり連続記録させつつ、この情報記録媒体に対して連続記録されるこの所定情報を前記所定時間より短時間で連続再生させる記録再生制御手段とを備えている。
【００３３】
（２）上記（１）に記載の情報記録再生装置は、前記記録再生手段により前記所定情報を記録するとき、この所定情報に含まれる特定情報に対して再生省略を示す識別情報を付加する識別情報付加手段と、前記記録再生制御手段により前記所定情報を連続再生させるとき、この所定情報の中から前記識別情報を検出して前記特定情報の再生を省略することにより、前記所定時間より短時間で前記所定情報を連続再生させる再生制御手段とを備えている。
【００３４】
（３）上記（１）又は（２）に記載の情報記録再生装置は、前記記録再生手段により前記所定情報を記録するとき、この所定情報に含まれる静止画情報及び規定レベル以下の変化情報を含む動画情報のうちの少なくとも一方の特定情報に対して高速再生を示す識別情報を付加する識別情報付加手段と、前記記録再生制御手段により前記所定情報を連続再生させるとき、この所定情報の中から前記識別情報を検出し、前記特定情報に該当しない情報を第１の再生速度で再生し、前記特定情報を前記第１の再生速度より高速な第２の再生速度で再生することにより、前記所定時間より短時間で前記所定情報を連続再生させる再生制御手段とを備えている。
【００３５】
（４）上記（１）、（２）、又は（３）に記載の情報記録再生装置は、前記記録再生制御手段による前記所定情報の連続記録開始のタイミングと前記所定情報の連続再生開始のタイミングとの差分時間を検出する検出手段と、前記検出手段により検出された差分時間、及び前記所定情報の連続記録に必要とされる前記所定時間に基づき、前記所定情報から再生される複数の再生フレームの中から間引きするフレームを決定するとともに、前記所定情報を前記所定時間かけて再生するときの第１の音声再生クロックより高い周波数の第２の音声再生クロックを決定し、フレームの間引きによる画像再生及び前記第２の音声再生クロックによる音声再生により、前記所定時間より短時間で前記所定情報を連続再生させる再生制御手段とを備えている。
【００３６】
（５）上記（１）に記載の情報記録再生装置は、前記記録再生手段により前記所定情報を記録するとき、この所定情報に含まれる第１の特定情報に対して再生省略を示す第１の識別情報を付加する第１の識別情報付加手段と、前記記録再生制御手段により前記所定情報を連続再生させるとき、この所定情報の中から前記第１の識別情報を検出して前記第１の特定情報の再生を省略することにより、前記所定時間より短時間で前記所定情報を連続再生させる第１の再生制御手段と、前記記録再生手段により前記所定情報を記録するとき、この所定情報に含まれる静止画情報及び規定レベル以下の変化情報を含む動画情報のうちの少なくとも一方の第２の特定情報に対して高速再生を示す第２の識別情報を付加する第２の識別情報付加手段と、前記記録再生制御手段により前記所定情報を連続再生させるとき、この所定情報の中から前記第２の識別情報を検出し、前記第２の特定情報に該当しない情報を第１の再生速度で再生し、前記第２の特定情報を前記第１の再生速度より高速な第２の再生速度で再生することにより、前記所定時間より短時間で前記所定情報を連続再生させる第２の再生制御手段と、前記記録再生制御手段による前記所定情報の連続記録開始のタイミングと前記所定情報の連続再生開始のタイミングとの差分時間を検出する検出手段と、前記検出手段により検出された差分時間、及び前記所定情報の連続記録に必要とされる前記所定時間に基づき、前記所定情報から再生される複数の再生フレームの中から間引きするフレームを決定するとともに、前記所定情報を前記所定時間かけて再生するときの第１の音声再生クロックより高い周波数の第２の音声再生クロックを決定し、フレームの間引きによる画像再生及び前記第２の音声再生クロックによる音声再生により、前記所定時間より短時間で前記所定情報を連続再生させる第３の再生制御手段と、前記検出手段により検出された差分時間、及び前記所定情報の連続記録に必要とされる前記所定時間に基づき、前記第１、第２、及び第３の再生制御手段のうちの少なくとも一つを選択して再生制御を実行する選択手段とを備えている。
【００３７】
（６）情報記録再生方法は、情報記録媒体に対する情報の記録、及び情報記録媒体に記録された情報の再生のタイミングを制御するとともに、情報記録媒体に対して記録される情報、及び情報記録媒体から再生される情報を一時的に格納部に格納することにより、所定時間にわたり外部から連続して提供される所定情報を前記情報記録媒体に対して所定時間にわたり連続記録する第１のステップと、前記第１のステップによる連続記録と並行して、この第１のステップにより連続記録される前記所定情報を前記所定時間より短時間で連続再生させる第２のステップとを備えている。
【００３８】
（７）上記（６）に記載の情報記録再生方法は、前記第１のステップにより前記情報記録媒体に対して前記所定情報を記録するとき、この所定情報に含まれる特定情報に対して再生省略を示す識別情報を付加する第３のステップと、前記第２のステップにより前記所定情報を連続再生させるとき、この所定情報の中から前記識別情報を検出して前記特定情報の再生を省略することにより、前記所定時間より短時間で前記所定情報を連続再生させる第４のステップとを備えている。
【００３９】
（８）上記（６）又は（７）に記載の情報記録再生方法は、前記第１のステップにより前記情報記録媒体に対して前記所定情報を記録するとき、この所定情報に含まれる静止画情報及び規定レベル以下の変化情報を含む動画情報のうちの少なくとも一方の特定情報に対して高速再生を示す識別情報を付加する第３のステップと、前記第２のステップにより前記所定情報を連続再生させるとき、この所定情報の中から前記識別情報を検出し、前記特定情報に該当しない情報を第１の再生速度で再生し、前記特定情報を前記第１の再生速度より高速な第２の再生速度で再生することにより、前記所定時間より短時間で前記所定情報を連続再生させる第４のステップとを備えている。
【００４０】
（９）上記（６）、（７）、又は（８）に記載の情報記録再生方法は、前記第１及び第２のステップによる前記所定情報の連続記録開始のタイミングと前記所定情報の連続再生開始のタイミングとの差分時間を検出する第３のステップと、前記第３のステップにより検出された差分時間、及び前記所定情報の連続記録に必要とされる前記所定時間に基づき、前記所定情報から再生される複数の再生フレームの中から間引きするフレームを決定するとともに、前記所定情報を前記所定時間かけて再生するときの第１の音声再生クロックより高い周波数の第２の音声再生クロックを決定し、フレームの間引きによる画像再生及び前記第２の音声再生クロックによる音声再生により、前記所定時間より短時間で前記所定情報を連続再生させる第４のステップとを備えている。
【００４１】
（１０）上記（６）に記載の情報記録再生方法は、前記第１のステップにより前記情報記録媒体に対して前記所定情報を記録するとき、この所定情報に含まれる第１の特定情報に対して再生省略を示す第１の識別情報を付加する第３のステップと、前記第２のステップにより前記所定情報を連続再生させるとき、この所定情報の中から前記第１の識別情報を検出して前記第１の特定情報の再生を省略することにより、前記所定時間より短時間で前記所定情報を連続再生させる第４のステップと、前記第１のステップにより前記情報記録媒体に対して前記所定情報を記録するとき、この所定情報に含まれる静止画情報及び規定レベル以下の変化情報を含む動画情報のうちの少なくとも一方の第２の特定情報に対して高速再生を示す第２の識別情報を付加する第５のステップと、前記第２のステップにより前記所定情報を連続再生させるとき、この所定情報の中から前記第２の識別情報を検出し、前記第２の特定情報に該当しない情報を第１の再生速度で再生し、前記第２の特定情報を前記第１の再生速度より高速な第２の再生速度で再生することにより、前記所定時間より短時間で前記所定情報を連続再生させる第６のステップと、前記第１及び第２のステップによる前記所定情報の連続記録開始のタイミングと前記所定情報の連続再生開始のタイミングとの差分時間を検出する第７のステップと、前記第７のステップにより検出された差分時間、及び前記所定情報の連続記録に必要とされる前記所定時間に基づき、前記所定情報から再生される複数の再生フレームの中から間引きするフレームを決定するとともに、前記所定情報を前記所定時間かけて再生するときの第１の音声再生クロックより高い周波数の第２の音声再生クロックを決定し、フレームの間引きによる画像再生及び前記第２の音声再生クロックによる音声再生により、前記所定時間より短時間で前記所定情報を連続再生させる第８のステップと、前記第７のステップにより検出された差分時間、及び前記所定情報の連続記録に必要とされる前記所定時間に基づき、前記第４、第６、及び第８のステップのうちの少なくとも一つのステップを選択して再生制御を実行する第９のステップとを備えている。
【図面の簡単な説明】
【００４２】
【図１】この発明に係るリアルタイムシフト機能を有する情報記録再生装置の概略構成を示す図である。
【図２】従来のタイムシフトの動作例を示す図である。
【図３】図１に示す情報記録再生装置により、カット可能な部分を飛ばして再生する場合のタイムシフト動作例を示す図である。
【図４】図１に示す情報記録再生装置により、静止画部分をＮ倍速で再生する場合のタイムシフト動作例を示す図である。
【図５】図１に示す情報記録再生装置により、フレーム間引き及び音声再生クロックの高周波化による高速再生の動作例を示す図である。
【図６】図１に示す情報記録再生装置によるリアルタイムシフト機能を効かせた情報記録再生動作の概略を示すフローチャートである。
【符号の説明】
【００４３】
１…映像用Ａ／Ｄ変換器
２…音声用Ａ／Ｄ変換器
３…ＭＰＥＧ２エンコーダ
４…ＤＡＴＡエンコーダ
５…記録バッファ
６…変調回路
７…光ヘッド
８…光ディスク
９…復調回路
１０…ＤＡＴＡデコーダ
１１…再生バッファ
１２…ＭＰＥＧ２デコーダ
１３…音声用Ｄ／Ａ変換器
１４…映像用Ｄ／Ａ変換器
１５…バッファコントローラ
１６…カット可能部検出部
１７…システムコントロール
１８…ユーザーＩ／Ｆ
【図１】
2004303422.tif 000003
【図２】
2004303422.tif 000004
【図３】
2004303422.tif 000005
【図４】
2004303422.tif 000006
【図５】
2004303422.tif 000007
【図６】
2004303422.tif 000008